(57)【要約】【課題】電極間の水による電気短絡を防止し、短絡による電極間のスパーク現象とそれによる放電ノイズとを防止することができる車両用空調システムを提供する。【解決手段】空調ケースの内部通路にイオン発生器が装備され、イオン発生器の第１放電電極と第２放電電極が、互いに離隔されてイオン発生器本体から内部通路に突出形成され、第１放電電極と第２放電電極が水により電気短絡することを防止する短絡防止手段が設置されている自動車車両用空調システムであって、短絡防止手段が、第１放電電極と第２放電電極の周りに形成される水遮断空間である。【選択図】図３
2011126541.tif 000002
【特許請求の範囲】
【請求項１】
空調ケース（１０）の内部通路（１６）にイオン発生器（４０）が装備され、前記イオン発生器（４０）の第１放電電極（４６）と第２放電電極（４８）が、互いに離隔されてイオン発生器本体（４２）から前記内部通路（１６）に突出形成され、前記第１放電電極（４６）と前記第２放電電極（４８）が水により電気短絡することを防止する短絡防止手段（５０）が設置されている自動車車両用空調システムであって、
前記短絡防止手段（５０）は、前記第１放電電極（４６）と前記第２放電電極（４８）の周りに形成される水遮断空間（８０）であることを特徴とする車両用空調システム。
【請求項２】
前記水遮断空間（８０）は、前記空調ケース（１０）の天井面（１６ｂ）より高い位置に形成されることを特徴とする請求項１に記載の車両用空調システム。
【発明の詳細な説明】
【技術分野】
【０００１】
本発明は、車両用空調システムに係り、より詳細には、イオン発生器の電極間における水による短絡を防止した車両用空調システムに関する。
【背景技術】
【０００２】
自動車には、通常、室内の空気温度を調節するための空調システムが設けられており、その空調システムは、空調ケースに送風ファンが設けられ、上流部にある内気導入口と外気導入口の一方あるいは両方から空気を取入れ、下流部にあるエバポレータで温度調整された後室内に吹き出させて室内を快適な温度に維持させている。
【０００３】
このとき、空調ケース内にイオン発生器を取り付け、空気中にイオン、特に陰イオンを増加させて情緒や自律神経の安定、疲労の回復などの効果を高めて室内環境の快適性を向上させることがしばしば行われる。例えば、空調ダクト内の流通空気中に陰イオンを発生させて陰イオンを含む空気を車内へ吹き出すようにした車両用空調装置〔特許文献１参照〕、空調ダクト内に針状電極を配置し、針状電極にマイナス高電圧を印加してコロナ放電を発生させることにより、低電圧でも多くの陰イオンを発生させることができるようにした陰イオン発生装置〔特許文献２参照〕が提案されており、その他、発生したイオンの車両室内への放出効率を高める改善提案〔特許文献３、４参照〕もなされている。
【０００４】
しかし、従来の空調システムでは、内部に導入された空気の湿度が高いとき、イオン発生器の放電電極の周りに水が凝縮し、凝縮した水が電極間に水膜を形成して電気的に短絡し、電極間に電流が流れ、両電極の間にスパーク現象を誘発させ、その結果、放電ノイズを発生させるという問題点が指摘されている。
【０００５】
【特許文献１】特開平９−３１５１４１号公報
【特許文献２】特開２０００−２４７１４１号公報
【特許文献３】特開２００４−１４８８８４号公報
【特許文献４】特開２００４−１４２６９１号公報
【発明の開示】
【発明が解決しようとする課題】
【０００６】
上記したイオン発生器の電極周囲に水が凝縮して両電極間に水膜を形成して電気的に短絡するという問題点に鑑み、本発明の目的は、両電極間の水による電気短絡を防止し、短絡による電極間のスパーク現象とそれによる放電ノイズとを防止することができる車両用空調システムを提供することにある。
【課題を解決するための手段】
【０００７】
このような目的を果たすための本発明の車両用空調システムは、空調ケースの内部通路にイオン発生器が装備され、イオン発生器の第１放電電極と第２放電電極が、互いに離隔されてイオン発生器本体から内部通路に突出形成され、第１放電電極と第２放電電極が水により電気短絡することを防止する短絡防止手段が設置されている自動車車両用空調システムであって、短絡防止手段が、第１放電電極と第２放電電極の周りに形成される水遮断空間であることを特徴としている。
【発明の効果】
【０００８】
本発明によれば、イオン発生器の両放電電極間に水膜形成が根本的に遮断され、両電極間の電気短絡が回避され、電極間のスパーク現象、放電ノイズの発生を防止することができ、自動車の乗車感を大きく向上させることができる。
【図面の簡単な説明】
【０００９】
【図１】従来の車両用空調システムを表わす断面図である。
【図２】図１のＩＩ−ＩＩ線の断面図である。
【図３】本発明の好ましい実施の形態であり、第１放電電極と第２放電電極の周りの天井面に水遮断空間を形成した状態を表わす断面図である。
【図４】図３の分解斜視図である。
【発明を実施するための最良の形態】
【００１０】
以下、本発明による車両用空調システムを、添付した図面を参照しつつ詳しく説明する。
先ず、従来の車両用空調システムの構造を説明する。図１は、従来の車両用空調システムの断面図、図２は、図１のＩＩ−ＩＩ線における断面図である。
空調システムは、空調ケース１０を備え、送風機２０が設置されている。送風機２０は、送風ファン２２と、送風ファン２２を駆動させる送風モータ２４とからなり、空調ケース１０の外気導入口１２から外気を、内気導入口１４から内気をそれぞれ選択的に、あるいは両方から吸い込み、空調ケース１０の内部通路１６に送り込んでいる。
内部通路１６の下流側にはエバポレータ３０が設置され、エバポレータ３０にはチューブ（図示せず）に冷媒が流れて内部通路１６を通過する空気を冷却している。冷却された空気は、車両室内に吹き出して室内の温度を快適な状態に維持させている。
【００１１】
本発明が対象とするイオン発生器４０は、内部通路１６のエバポレータ３０の上流側に設けられ、イオン発生器本体４２の一面（電極据付面）に第１放電電極４６と第２放電電極４８が互いに離れて並び、それぞれ内部通路１６に向けて突出形成されている。また、第１放電電極４６は、その先端部が突出するように第１保護管４４に囲まれて一体となり、第２放電電極４８は、その先端部が突出するように第２保護管４５に囲まれて一体となり、空調ケース１０に形成された貫通孔１７を抜けて内部通路１６の内側壁１６ａから内部に向けて延びるように設置される。
【００１２】
第１放電電極４６と第２放電電極４８の間に電圧が印加されるとイオンを発生する。発生した陰、陽イオンは、内部通路１６を流れる空気に付加されて流れ、エバポレータ３０においてはエバポレータ３０に生息する細菌やカビの微生物を死滅させ、室内に吹き出されたときには、空気中の微生物を死滅させ、悪臭成分を分解して脱臭することで空気の清浄度を高め、室内環境を快適にすることができる。
【００１３】
本発明の好ましい実施形態は、イオン発生器４０が内部通路１６の天井面１６ｂに設けられ、第１放電電極４６と第２放電電極４８が下向きに突出している場合であり、第１放電電極４６と第２放電電極４８の周りの天井面１６ｂに水遮断空間８０を形成して短絡防止手段５０としている。図３は本発明の好ましい実施の形態を表す断面図であり、図４はその斜視図である。
【００１４】
水遮断空間８０は、貫通孔１７の周りの天井面１６ｂを上方に沒入成形され、第１放電電極４６と第２放電電極４８は共に水遮断空間８０内にあるように形成される。そして、水遮断空間８０の面は、内部通路１６の天井面１６ｂより高い位置となるよう形成され、第１放電電極４６と第２放電電極４８それぞれの取付け部から天井面１６ｂに傾斜面をもっており、従って第１放電電極４６と第２放電電極４８それぞれの周囲に凝縮した水は滞留することなく流れるので、第１放電電極４６と第２放電電極４８の間の水流れ経路を遮断することができる。
【００１５】
水遮断空間８０は、おおよそ水平な面をなす天井面１６ｂに設けるのが好ましい。これは、上方に傾いた傾斜面１６ｄからの凝縮水が直接水遮断空間８０に入り込むのを防ぐためである。
【００１６】
以上、本発明の好ましい実施の形態を説明したが、本発明は以上の実施の形態に限定されるものではなく、この他特許請求の範囲に記載の範疇内で適切に変更可能である。本発明によれば、第１放電電極４６と第２放電電極４８の間の水流れ経路を遮断することができ、これによって第１放電電極４６と第２放電電極４８との間に水膜が形成されることが防止され、水膜による第１放電電極４６と第２放電電極４８の間の電気短絡、及び短絡によるスパーク現象と放電ノイズの発生とを防止することができる。
【産業上の利用可能性】
【００１７】
本発明の車両用空調システムは、放電電極間のスパーク現象、放電ノイズの発生を防止し、自動車の乗車感を大きく向上させることができる。
【符号の説明】
【００１８】
１０：空調ケース
１６：内部通路
１６ａ：（内部通路の）内側壁
１６ｂ：（内部通路の）天井面
１６ｃ：（内部通路内側壁に設けた排水リブの）収容溝
１６ｄ：（内部通路の）傾斜面
２０：送風機
３０：エバポレータ
４０：イオン発生器
４２：イオン発生器本体
４４：第１保護管
４４ａ：（第１保護管の）下側面
４５：第２保護管
４５ａ：（第２保護管の）下側面
４６：第１放電電極
４８：第２放電電極
５０：短絡防止手段
８０：水遮断空間
【図１】
2011126541.tif 000003
【図２】
2011126541.tif 000004
【図３】
2011126541.tif 000005
【図４】
2011126541.tif 000006